【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
被検体から血液または他の流体を受容するためのデバイスであって、
該デバイスは、
第１の構成と第２の構成との間で移動可能である可撓性凹状部材と、
アクチュエータであって、該アクチュエータは、作動させられると、該第１の構成と該第２の構成との間で該可撓性凹状部材を移動させることが可能である、アクチュエータと、
該可撓性凹状部材に機械的に連結される針であって、該連結されることにより、該針は、該可撓性凹状部材が該第１の構成にあるときに第１の位置にあり、該針は、該可撓性凹状部材が該第２の構成にあるときに第２の位置にある、針と、
少なくとも該針が該第２の位置にあるときに該針を含有するアプリケータ領域と、
大気圧を下回る圧力を有する真空チャンバと
を備え、該アクチュエータは、作動させられると、該真空チャンバと該アプリケータ領域との間に流体連通経路を生成することが可能である、デバイス。
【請求項２】
前記デバイスは、収集チャンバをさらに備え、該収集チャンバは、前記真空チャンバと前記アプリケータ領域との間の前記流体連通経路に設置される、請求項１に記載のデバイス。
【請求項３】
ガス浸透性膜をさらに備え、該ガス浸透性膜は、前記真空チャンバと前記収集チャンバとの間に設置される、請求項２に記載のデバイス。
【請求項４】
前記ガス浸透性膜は、実質的に血液に対して不浸透性である、請求項３に記載のデバイス。
【請求項５】
親水性膜をさらに備え、該親水性膜は、前記真空チャンバと前記収集チャンバとの間に設置される、請求項２−４のうちのいずれか一項に記載のデバイス。
【請求項６】
前記収集チャンバは、抗凝固剤を含有する、請求項２−５のうちのいずれか一項に記載のデバイス。
【請求項７】
前記針は、前記可撓性凹状部材上に直接固定化される、請求項１−６のうちのいずれか一項に記載のデバイス。
【請求項８】
前記針は、前記可撓性凹状部材に機械的に連結された針のアレイのうちの１本の針である、請求項１−７のうちのいずれか一項に記載のデバイス。
【請求項９】
前記針は、極微針である、請求項１−８のうちのいずれか一項に記載のデバイス。
【請求項１０】
前記針は、前記被検体の皮膚の中への約１ｍｍ以下の最大貫通を有する、請求項１−９のうちのいずれか一項に記載のデバイス。
【請求項１１】
後退機構をさらに備え、該後退機構は、前記可撓性凹状部材が前記第２の構成に到達した後に、前記針を前記第１の構成に向かって移動させることが可能である、請求項１−１０のうちのいずれか一項に記載のデバイス。
【請求項１２】
前記第１の構成は、凹状構成であり、前記第２の構成は、凸状構成である、請求項１−１１のうちのいずれか一項に記載のデバイス。
【請求項１３】
前記可撓性凹状部材は、前記第２の構成から前記第１の構成まで自発的に復帰することが可能である、請求項１−１２のうちのいずれか一項に記載のデバイス。
【請求項１４】
前記デバイスのユーザは、前記可撓性凹状部材を前記第１の構成から前記第２の構成まで手動で移動させることができる、請求項１−１３のうちのいずれか一項に記載のデバイス。
【請求項１５】
アクチュエータをさらに備え、該アクチュエータは、前記可撓性凹状部材を前記第１の構成から前記第２の構成まで移動させることが可能である、請求項１−１４のうちのいずれか一項に記載のデバイス。
【請求項１６】
前記真空チャンバは、抗凝固剤を含有する、請求項１−１５のうちのいずれか一項に記載のデバイス。
【請求項１７】
前記真空チャンバは、前記被検体からの血液または他の流体の導入に先立って、大気圧を下回る約１００ｍｍＨｇ未満である圧力を有する、請求項１−１６のうちのいずれか一項に記載のデバイス。
【請求項１８】
前記真空チャンバは、事前充填された真空である、請求項１−１７のうちのいずれか一項に記載のデバイス。
【請求項１９】
前記針は、少なくとも約６ｍ／ｓの速度で、前記第１の位置から前記第２の位置まで移動させられる、請求項１−１８のうちのいずれか一項に記載のデバイス。
【請求項２０】
前記針は、少なくとも１００，０００ｍ／ｓ２の率で、前記第１の位置から前記第２の位置までにおいて加速される、請求項１−１９のうちのいずれか一項に記載のデバイス。
【請求項２１】
前記針は、約０．００２秒未満の時間の中で、前記第１の位置から前記第２の位置まで移動させられる、請求項１−２０のうちのいずれか一項に記載のデバイス。
【請求項２２】
前記第１の位置と前記第２の位置とは、約１０ｍｍ未満の距離だけ分離されている、請求項１−２１のうちのいずれか一項に記載のデバイス。
【請求項２３】
前記デバイスは、手動で相互から分離可能な少なくとも２つのモジュールを含有し、該少なくとも２つのモジュールは、前記真空チャンバを備える第１のモジュールと、前記可撓性凹状部材、前記針、および前記アプリケータ領域を備える第２のモジュールとを含む、請求項１−２２のうちのいずれか一項に記載のデバイス。
【請求項２４】
前記被検体から受容される流体は、血液である、請求項１−２３のうちのいずれか一項に記載のデバイス。
【請求項２５】
前記被検体は、ヒトである、請求項１−２４のうちのいずれか一項に記載のデバイス。
【請求項２６】
前記デバイスは、内蔵式である、請求項１−２５のうちのいずれか一項に記載のデバイス。
【請求項２７】
被検体から受容される血液または他の流体のためのデバイスであって、
該デバイスは、
第１の構成と第２の構成との間で移動可能である可撓性凹状部材と、
アクチュエータであって、該アクチュエータは、作動させられると、該第１の構成と該第２の構成との間で該可撓性凹状部材を移動させることが可能である、アクチュエータと、
該可撓性凹状部材に機械的に連結される針であって、該連結されることにより、該針は、該可撓性凹状部材が該第１の構成にあるときに第１の位置にあり、該針は、該可撓性凹状部材が該第２の構成にあるときに第２の位置にある、針と、
少なくとも該針が該第２の位置にあるときに該針を含有するアプリケータ領域と、
該アクチュエータに機械的に連結される穿刺部材と、
大気圧を下回る圧力を有する真空チャンバと、
該真空チャンバと流体連通する穿刺可能表面と
を備え、該穿刺部材は、該アクチュエータによって移動させられると、該穿刺可能表面を穿刺するように設置される、デバイス。
【請求項２８】
前記針は、前記可撓性凹状部材上に直接固定化される、請求項２７に記載のデバイス。
【請求項２９】
前記針は、前記可撓性凹状部材に機械的に連結された針のアレイのうちの１本の針である、請求項２７または２８のうちのいずれか一項に記載のデバイス。
【請求項３０】
前記針は、極微針である、請求項２７−２９のうちのいずれか一項に記載のデバイス。
【請求項３１】
前記針は、前記被検体の皮膚の中へ約１ｍｍ以下の最大貫通を有する、請求項２７−３０のうちのいずれか一項に記載のデバイス。
【請求項３２】
後退機構をさらに備え、該後退機構は、前記可撓性凹状部材が前記第２の構成に到達した後に、前記針を前記第１の構成に向かって移動させることが可能である、請求項２７−３１のうちのいずれか一項に記載のデバイス。
【請求項３３】
前記第１の構成は、凹状構成であり、前記第２の構成は、凸状構成である、請求項２７−３２のうちのいずれか一項に記載のデバイス。
【請求項３４】
前記可撓性凹状部材は、前記第２の構成から前記第１の構成まで自発的に復帰することが可能である、請求項２７−３３のうちのいずれか一項に記載のデバイス。
【請求項３５】
前記デバイスのユーザは、前記可撓性凹状部材を前記第１の構成から前記第２の構成まで手動で移動させることができる、請求項２７−３４のうちのいずれか一項に記載のデバイス。
【請求項３６】
アクチュエータをさらに備え、該アクチュエータは、前記可撓性凹状部材を前記第１の構成から前記第２の構成まで移動させることが可能である、請求項２７−３５のうちのいずれか一項に記載のデバイス。
【請求項３７】
前記真空チャンバは、抗凝固剤を含有する、請求項２７−３６のうちのいずれか一項に記載のデバイス。
【請求項３８】
前記真空チャンバは、前記被検体からの血液または他の流体の導入に先立って、大気圧を下回る約１００ｍｍＨｇより小さい圧力を有する、請求項２７−３７のうちのいずれか一項に記載のデバイス。
【請求項３９】
前記真空チャンバは、事前充填された真空である、請求項２７−３８のうちのいずれか一項に記載のデバイス。
【請求項４０】
前記針は、少なくとも約６ｍ／ｓの速度で、前記第１の位置から前記第２の位置まで移動させられる、請求項２７−３９のうちのいずれか一項に記載のデバイス。
【請求項４１】
前記針は、少なくとも１００，０００ｍ／ｓ２の率で、前記第１の位置から前記第２の位置までにおいて加速される、請求項２７−４０のうちのいずれか一項に記載のデバイス。
【請求項４２】
前記針は、約０．００２秒未満の時間の中で、前記第１の位置から前記第２の位置まで移動させられる、請求項２７−４１のうちのいずれか一項に記載のデバイス。
【請求項４３】
前記第１の位置と前記第２の位置とは、約１０ｍｍ未満の距離だけ分離されている、請求項２７−４２のうちのいずれか一項に記載のデバイス。
【請求項４４】
前記デバイスは、手動で相互から分離可能な少なくとも２つのモジュールを含有し、該少なくとも２つのモジュールは、前記真空チャンバを備える第１のモジュールと、前記可撓性凹状部材、前記針、および前記アプリケータ領域を備える第２のモジュールとを含む、請求項２７−４３のうちのいずれか一項に記載のデバイス。
【請求項４５】
前記被検体から受容される流体は、血液である、請求項２７−４４のうちのいずれか一項に記載のデバイス。
【請求項４６】
前記被検体は、ヒトである、請求項２７−４５のうちのいずれか一項に記載のデバイス。
【請求項４７】
前記デバイスは、内蔵式である、請求項２７−４６のうちのいずれか一項に記載のデバイス。
【請求項４８】
前記穿刺可能表面は、気密性である、請求項２７−４７のうちのいずれか一項に記載のデバイス。
【請求項４９】
前記穿刺可能表面は、箔である、請求項２７−４８のうちのいずれか一項に記載のデバイス。
【手続補正２】
【補正対象書類名】明細書
【補正対象項目名】００２４
【補正方法】変更
【補正の内容】
【００２４】
本発明の他の利点および新規の特徴は、添付図面と併せて考慮されることによって、本発明の種々の非限定的実施形態の以下の詳細な説明から明白となるであろう。本明細書および参照することにより組み込まれる文書が、相反する、および／または矛盾する開示を含む場合、本明細書が優先するものとする。参照することにより組み込まれる２つ以上の文書が、相互に対して相反する、および／または矛盾する開示を含む場合には、より最近の発効日を有する文書が優先するものとする。
本願明細書は、例えば、以下の項目も提供する。
（項目１）
被検体から血液または他の流体を受容するためのデバイスであって、
該デバイスは、
第１の構成と第２の構成との間で移動可能である可撓性凹状部材と、
該可撓性凹状部材に機械的に連結される針であって、該連結されることにより、該針は、該可撓性凹状部材が該第１の構成にあるときに第１の位置にあり、該可撓性凹状部材が該第２の構成にあるときに第２の位置にある、針と、
少なくとも該針が該第２の位置にあるときに該針を含有するアプリケータ領域と、
大気圧を下回る圧力を有する真空チャンバと
を備え、該第１の構成から該第２の構成までの該可撓性凹状部材の移動は、該真空チャンバと該アプリケータ領域との間に流体連通経路を生成する、デバイス。
（項目２）
前記デバイスは、前記真空チャンバと前記アプリケータ領域との間の前記流体連通経路に設置される収集チャンバをさらに備える、項目１に記載のデバイス。
（項目３）
ガス浸透性膜をさらに備え、該ガス浸透性膜は、前記真空チャンバと前記収集チャンバとの間に設置される、項目２に記載のデバイス。
（項目４）
前記ガス浸透性膜は、実質的に血液に対して不浸透性である、項目３に記載のデバイス。
（項目５）
親水性膜をさらに備え、該親水性膜は、前記真空チャンバと前記収集チャンバとの間に設置される、項目２−４のうちのいずれか一項に記載のデバイス。
（項目６）
多孔性構造をさらに備え、該多孔性構造は、前記真空チャンバと前記収集チャンバとの間に設置される、項目２−５のうちのいずれか一項に記載のデバイス。
（項目７）
溶解性界面をさらに備え、該溶解性界面は、前記真空チャンバと前記収集チャンバとの間に設置される、項目２−６のうちのいずれか一項に記載のデバイス。
（項目８）
前記収集チャンバは、抗凝固剤を含有する、項目２−７のうちのいずれか一項に記載のデバイス。
（項目９）
前記抗凝固剤は、ヘパリンを含む、項目８に記載のデバイス。
（項目１０）
前記針は、前記可撓性凹状部材上に直接固定化される、項目１−９のうちのいずれか一項に記載のデバイス。
（項目１１）
前記針は、ロッドを介して、前記可撓性凹状部材に機械的に連結される、項目１−１０のうちのいずれか一項に記載のデバイス。
（項目１２）
前記針は、前記可撓性凹状部材に機械的に連結された針のアレイのうちの１本の針である、項目１−１１のうちのいずれか一項に記載のデバイス。
（項目１３）
前記針は、極微針を備える、項目１−１２のうちのいずれか一項に記載のデバイス。
（項目１４）
前記極微針は、前記可撓性凹状部材に機械的に連結された極微針のアレイのうちの１つの極微針である、項目１３に記載のデバイス。
（項目１５）
前記極微針のアレイは、少なくとも６本の極微針を備える、項目１４に記載のデバイス。
（項目１６）
前記極微針は、少なくとも約５００マイクロメートルの長さを有する、項目１３−１５のうちのいずれか一項に記載のデバイス。
（項目１７）
前記針は、中実である、項目１−１６のうちのいずれか一項に記載のデバイス。
（項目１８）
前記針は、中空である、項目１−１６のうちのいずれか一項に記載のデバイス。
（項目１９）
前記針は、前記被検体の皮膚の中へ約１ｍｍ以下の最大貫通を有する、項目１−１８のうちのいずれか一項に記載のデバイス。
（項目２０）
前記針は、前記被検体の皮膚の中へ少なくとも約５００マイクロメートルの最小貫通を有する、項目１−１９のうちのいずれか一項に記載のデバイス。
（項目２１）
後退機構をさらに備え、該後退機構は、前記可撓性凹状部材が前記第２の構成に到達した後に、前記針を前記第１の構成に向かって移動させることが可能である、項目１−２０のうちのいずれか一項に記載のデバイス。
（項目２２）
前記後退機構は、バネを備える、項目２１に記載のデバイス。
（項目２３）
前記後退機構は、弾性部材を備える、項目２１または２２のうちのいずれか一項に記載のデバイス。
（項目２４）
前記後退機構は、崩壊可能な発泡体を備える、項目２１−２３のうちのいずれか一項に記載のデバイス。
（項目２５）
前記第１の構成は、凹状構成であり、前記第２の構成は、凸状構成である、項目１−２４のうちのいずれか一項に記載のデバイス。
（項目２６）
前記可撓性凹状部材は、前記第２の構成から前記第１の構成まで自発的に復帰することが可能である、項目１−２５のうちのいずれか一項に記載のデバイス。
（項目２７）
前記デバイスのユーザは、前記可撓性凹状部材を前記第１の構成から前記第２の構成まで手動で移動させることができる、項目１−２６のうちのいずれか一項に記載のデバイス。
（項目２８）
アクチュエータをさらに備え、該アクチュエータは、前記可撓性凹状部材を前記第１の構成から前記第２の構成まで移動させることが可能である、項目１−２７のうちのいずれか一項に記載のデバイス。
（項目２９）
前記可撓性凹状部材は、ポリマーを含む、項目１−２８のうちのいずれか一項に記載のデバイス。
（項目３０）
前記可撓性凹状部材は、金属を含む、項目１−２９のうちのいずれか一項に記載のデバイス。
（項目３１）
前記真空チャンバは、抗凝固剤を含有する、項目１−３０のうちのいずれか一項に記載のデバイス。
（項目３２）
前記抗凝固剤は、ヘパリンを含む、項目３１に記載のデバイス。
（項目３３）
前記抗凝固剤は、クエン酸塩、トロンビン、シュウ酸塩、エチレンジアミン四酢酸（ＥＤＴＡ）、ポリアネトールスルホン酸ナトリウム、または酸性クエン酸ブドウ糖のうちの１つ以上を含む、項目３１または３２に記載のデバイス。
（項目３４）
前記真空チャンバは、前記被検体からの血液または他の流体の導入に先立って、大気圧を下回る約１００ｍｍＨｇである圧力を有する、項目１−３３のうちのいずれか一項に記載のデバイス。
（項目３５）
前記真空チャンバは、前記被検体からの血液または他の流体の導入に先立って、大気圧を下回る約３００ｍｍＨｇ未満である圧力を有する、項目１−３４のうちのいずれか一項に記載のデバイス。
（項目３６）
前記真空チャンバは、事前充填された真空である、項目１−３５のうちのいずれか一項に記載のデバイス。
（項目３７）
前記針は、少なくとも約６ｍ／ｓの速度で、前記第１の位置から前記第２の位置まで移動させられる、項目１−３６のうちのいずれか一項に記載のデバイス。
（項目３８）
前記針は、少なくとも１００，０００ｍ／ｓ２の率で、前記第１の位置から前記第２の位置までにおいて加速される、項目１−３７のうちのいずれか一項に記載のデバイス。
（項目３９）
前記針は、約０．０００２秒未満の時間の中で、前記第１の位置から前記第２の位置まで移動させられる、項目１−３８のうちのいずれか一項に記載のデバイス。
（項目４０）
前記第１の位置および前記第２の位置は、約１０ｍｍ未満の距離だけ分離されている、項目１−３９のうちのいずれか一項に記載のデバイス。
（項目４１）
前記デバイスは、手動で相互から分離可能な少なくとも２つのモジュールを含有し、該少なくとも２つのモジュールは、前記真空チャンバを備える第１のモジュールと、前記可撓性凹状部材、前記針、および前記アプリケータ領域を備える第２のモジュールとを含む、項目１−４０のうちのいずれか一項に記載のデバイス。
（項目４２）
前記第１のモジュールは、本質的に真空チャンバから構成される、項目１−４１のうちのいずれか一項に記載のデバイス。
（項目４３）
前記第１のモジュールは、実質的に円柱形の形状を有する、項目１−４２のうちのいずれか一項に記載のデバイス。
（項目４４）
前記第１のモジュールは、約７５ｍｍの直径を有する、項目４３に記載のデバイス。
（項目４５）
前記第１のモジュールは、約１００ｍｍの直径を有する、項目４３または４４に記載のデバイス。
（項目４６）
前記第１のモジュールは、約１３ｃｍの長さを有する、項目４３−４５のうちのいずれか一項に記載のデバイス。
（項目４７）
前記第１のモジュールは、約１６ｃｍの長さを有する、項目４３−４６のうちのいずれか一項に記載のデバイス。
（項目４８）
前記アプリケータ領域は、前記デバイスの陥凹である、項目１−４７のうちのいずれか一項に記載のデバイス。
（項目４９）
前記被検体から受容される流体は、血液である、項目１−４８のうちのいずれか一項に記載のデバイス。
（項目５０）
前記被検体は、ヒトである、項目１−４９のうちのいずれか一項に記載のデバイス。
（項目５１）
前記デバイスは、内蔵式である、項目１−５０のうちのいずれか一項に記載のデバイス。
（項目５２）
前記デバイスは、約７５ｍｍ以下の最大長さを有する、項目１−５１のうちのいずれか一項に記載のデバイス。
（項目５３）
前記デバイスは、約１００ｍｍ以下の最大長さを有する、項目１−５２のうちのいずれか一項に記載のデバイス。
（項目５４）
前記デバイスは、実質的に円柱状の対称形である、項目１−５３のうちのいずれか一項に記載のデバイス。
（項目５５）
流体を抽出することを備え、該流体は、項目１−５４のうちのいずれか一項に記載のデバイス内に含有される、方法。
（項目５６）
前記流体は、血液である、項目５５に記載の方法。
（項目５７）
前記流体は、隔壁を通した抽出によって、前記デバイスから引き出される、項目５５または５６のうちのいずれか一項に記載の方法。
（項目５８）
前記流体は、ピペットによって、前記デバイスから引き出される、項目５５−５７のうちのいずれか一項に記載の方法。
（項目５９）
前記流体は、真空によって、前記デバイスから引き出される、項目５５−５８のうちのいずれか一項に記載の方法。
（項目６０）
前記デバイスを遠心分離機の中に設置することをさらに備える、項目５５−５９のうちのいずれか一項に記載の方法。
（項目６１）
前記遠心分離機を使用して、前記デバイスを回転させることをさらに備え、それにより、該デバイスは、少なくとも５０ｇの求心力を受ける、項目６０に記載の方法。
（項目６２）
被検体から血液または他の流体を受容するためのデバイスであって、
該デバイスは、
第１の構成と第２の構成との間で移動可能である可撓性凹状部材と、
該可撓性凹状部材に機械的に連結される針であって、該連結されることにより、該針は、該可撓性凹状部材が該第１の構成にあるときに第１の位置にあり、該可撓性凹状部材が該第２の構成にあるときに第２の位置にある、針と、
少なくとも該針が該第２の位置にあるときに該針を含有するアプリケータ領域と、
該可撓性凹状部材に機械的に連結される穿刺部材であって、該連結されることにより、該穿刺部材は、該可撓性凹状部材が該第１の構成から該第２の構成まで移動するとき、移動可能である、穿刺部材と、
大気圧を下回る圧力を有する真空チャンバと、
該真空チャンバと流体連通する穿刺可能表面と、
を備え、該穿刺部材は、該穿刺部材が該可撓性凹状部材によって移動させられるときに該穿刺可能表面を穿刺するように設置される、デバイス。
（項目６３）
前記針は、前記可撓性凹状部材上に直接固定化される、項目６２に記載のデバイス。
（項目６４）
前記針は、前記可撓性凹状部材に機械的に連結された針のアレイのうちの１本の針である、項目６２または６３のうちのいずれか一項に記載のデバイス。
（項目６５）
前記針は、極微針である、項目６２−６４のうちのいずれか一項に記載のデバイス。
（項目６６）
前記針は、前記被検体の皮膚の中への約１ｍｍ以下の最大貫通を有する、項目６２−６５のうちのいずれか一項に記載のデバイス。
（項目６７）
後退機構をさらに備え、該後退機構は、前記可撓性凹状部材が前記第２の構成に到達した後に、前記針を前記第１の構成に向かって移動させることが可能である、項目６２−６６のうちのいずれか一項に記載のデバイス。
（項目６８）
前記第１の構成は、凹状構成であり、前記第２の構成は、凸状構成である、項目６２−６７のうちのいずれか一項に記載のデバイス。
（項目６９）
前記可撓性凹状部材は、前記第２の構成から前記第１の構成まで自発的に復帰することが可能である、項目６２−６８のうちのいずれか一項に記載のデバイス。
（項目７０）
前記デバイスのユーザは、前記可撓性凹状部材を前記第１の構成から前記第２の構成まで手動で移動させることができる、項目６２−６９のうちのいずれか一項に記載のデバイス。
（項目７１）
アクチュエータをさらに備え、該アクチュエータは、前記可撓性凹状部材を前記第１の構成から前記第２の構成まで移動させることが可能である、項目６２−７０のうちのいずれか一項に記載のデバイス。
（項目７２）
前記真空チャンバは、抗凝固剤を含有する、項目６２−７１のうちのいずれか一項に記載のデバイス。
（項目７３）
前記真空チャンバは、前記被検体からの血液または他の流体の導入に先立って、大気圧を下回る約１００ｍｍＨｇ未満である圧力を有する、項目６２−７２のうちのいずれか一項に記載のデバイス。
（項目７４）
前記真空チャンバは、事前充填された真空である、項目６２−７３のうちのいずれか一項に記載のデバイス。
（項目７５）
前記針は、少なくとも約６ｍ／ｓの速度で、前記第１の位置から前記第２の位置まで移動させられる、項目６２−７４のうちのいずれか一項に記載のデバイス。
（項目７６）
前記針は、少なくとも１００，０００ｍ／ｓ２の率で、前記第１の位置から前記第２の位置までにおいて加速される、項目６２−７５のうちのいずれか一項に記載のデバイス。
（項目７７）
前記針は、約０．００２秒未満の時間の中で、前記第１の位置から前記第２の位置まで移動させられる、項目６２−７６のうちのいずれか一項に記載のデバイス。
（項目７８）
前記第１の位置と前記第２の位置とは、約１０ｍｍ未満の距離だけ分離されている、項目６２−７７のうちのいずれか一項に記載のデバイス。
（項目７９）
前記デバイスは、手動で相互から分離可能である少なくとも２つのモジュールを含有し、該少なくとも２つのモジュールは、前記真空チャンバを備える第１のモジュールと、前記可撓性凹状部材、前記針、および前記アプリケータ領域を備える第２のモジュールとを含む、項目６２−７８のうちのいずれか一項に記載のデバイス。
（項目８０）
前記被検体から受容される流体は、血液である、項目６２−７９のうちのいずれか一項に記載のデバイス。
（項目８１）
前記被検体は、ヒトである、項目６２−８０のうちのいずれか一項に記載のデバイス。
（項目８２）
前記デバイスは、内蔵式である、項目６２−８１のうちのいずれか一項に記載のデバイス。
（項目８３）
項目６２−８２のうちのいずれか一項に記載のデバイス内に含有される流体を抽出することを備える、方法。
（項目８４）
前記流体は、血液である、項目８３に記載の方法。
（項目８５）
前記穿刺可能表面は、気密性である、項目６２−８４のうちのいずれか一項に記載のデバイス。
（項目８６）
前記穿刺可能表面は、箔である、項目６２−８４のうちのいずれか一項に記載のデバイス。
（項目８７）
前記穿刺部材は、穿刺針である、項目６２−８４のうちのいずれか一項に記載のデバイス。
（項目８８）
前記穿刺部材は、極微針である、項目６２−８４のうちのいずれか一項に記載のデバイス。
（項目８９）
被検体から血液または他の流体を受容するためのデバイスであって、
該デバイスは、
第１の構成と第２の構成との間で移動可能である可撓性凹状部材と、
アクチュエータであって、該アクチュエータは、作動させられると、該第１の構成と該第２の構成との間で該可撓性凹状部材を移動させることが可能である、アクチュエータと、
該可撓性凹状部材に機械的に連結される針であって、該連結されることにより、該針は、該可撓性凹状部材が該第１の構成にあるときに第１の位置にあり、該可撓性凹状部材が該第２の構成にあるときに第２の位置にある、針と、
少なくとも該針が該第２の位置にあるときに該針を含有するアプリケータ領域と、
大気圧を下回る圧力を有する真空チャンバと
を備え、該アクチュエータは、作動させられると、該真空チャンバと該アプリケータ領域との間に流体連通経路を生成することが可能である、デバイス。
（項目９０）
前記デバイスは、収集チャンバをさらに備え、該収集チャンバは、前記真空チャンバと前記アプリケータ領域との間の前記流体連通経路に設置される、項目８９に記載のデバイス。
（項目９１）
ガス浸透性膜をさらに備え、該ガス浸透性膜は、前記真空チャンバと前記収集チャンバとの間に設置される、項目９０に記載のデバイス。
（項目９２）
前記ガス浸透性膜は、実質的に血液に対して不浸透性である、項目９１に記載のデバイス。
（項目９３）
親水性膜をさらに備え、該親水性膜は、前記真空チャンバと前記収集チャンバとの間に設置される、項目９０−９２のうちのいずれか一項に記載のデバイス。
（項目９４）
前記収集チャンバは、抗凝固剤を含有する、項目９０−９３のうちのいずれか一項に記載のデバイス。
（項目９５）
前記針は、前記可撓性凹状部材上に直接固定化される、項目８９−９４のうちのいずれか一項に記載のデバイス。
（項目９６）
前記針は、前記可撓性凹状部材に機械的に連結された針のアレイのうちの１本の針である、項目８９−９５のうちのいずれか一項に記載のデバイス。
（項目９７）
前記針は、極微針である、項目８９−９６のうちのいずれか一項に記載のデバイス。
（項目９８）
前記針は、前記被検体の皮膚の中への約１ｍｍ以下の最大貫通を有する、項目８９−９７のうちのいずれか一項に記載のデバイス。
（項目９９）
後退機構をさらに備え、該後退機構は、前記可撓性凹状部材が前記第２の構成に到達した後に、前記針を前記第１の構成に向かって移動させることが可能である、項目８９−９８のうちのいずれか一項に記載のデバイス。
（項目１００）
前記第１の構成は、凹状構成であり、前記第２の構成は、凸状構成である、項目８９−９９のうちのいずれか一項に記載のデバイス。
（項目１０１）
前記可撓性凹状部材は、前記第２の構成から前記第１の構成まで自発的に復帰することが可能である、項目８９−１００のうちのいずれか一項に記載のデバイス。
（項目１０２）
前記デバイスのユーザは、前記可撓性凹状部材を前記第１の構成から前記第２の構成まで手動で移動させることができる、項目８９−１０１のうちのいずれか一項に記載のデバイス。
（項目１０３）
アクチュエータをさらに備え、該アクチュエータは、前記可撓性凹状部材を前記第１の構成から前記第２の構成まで移動させることが可能である、項目８９−１０２のうちのいずれか一項に記載のデバイス。
（項目１０４）
前記真空チャンバは、抗凝固剤を含有する、項目８９−１０３のうちのいずれか一項に記載のデバイス。
（項目１０５）
前記真空チャンバは、前記被検体からの血液または他の流体の導入に先立って、大気圧を下回る約１００ｍｍＨｇ未満である圧力を有する、項目８９−１０４のうちのいずれか一項に記載のデバイス。
（項目１０６）
前記真空チャンバは、事前充填された真空である、項目８９−１０５のうちのいずれか一項に記載のデバイス。
（項目１０７）
前記針は、少なくとも約６ｍ／ｓの速度で、前記第１の位置から前記第２の位置まで移動させられる、項目８９−１０６のうちのいずれか一項に記載のデバイス。
（項目１０８）
前記針は、少なくとも１００，０００ｍ／ｓ２の率で、前記第１の位置から前記第２の位置までにおいて加速される、項目８９−１０７のうちのいずれか一項に記載のデバイス。
（項目１０９）
前記針は、約０．００２秒未満の時間の中で、前記第１の位置から前記第２の位置まで移動させられる、項目８９−１０８のうちのいずれか一項に記載のデバイス。
（項目１１０）
前記第１の位置と前記第２の位置とは、約１０ｍｍ未満の距離だけ分離されている、項目８９−１０９のうちのいずれか一項に記載のデバイス。
（項目１１１）
前記デバイスは、手動で相互から分離可能な少なくとも２つのモジュールを含有し、該少なくとも２つのモジュールは、前記真空チャンバを備える第１のモジュールと、前記可撓性凹状部材、前記針、および前記アプリケータ領域を備える第２のモジュールとを含む、項目８９−１１０のうちのいずれか一項に記載のデバイス。
（項目１１２）
前記被検体から受容される流体は、血液である、項目８９−１１１のうちのいずれか一項に記載のデバイス。
（項目１１３）
前記被検体は、ヒトである、項目８９−１１２のうちのいずれか一項に記載のデバイス。
（項目１１４）
前記デバイスは、内蔵式である、項目８９−１１３のうちのいずれか一項に記載のデバイス。
（項目１１５）
流体を抽出することを備え、該流体は、項目８９−１１４のうちのいずれか一項に記載のデバイス内に含有される、方法。
（項目１１６）
前記流体は、血液である、項目１１５に記載の方法。
（項目１１７）
被検体から血液または他の流体を受容するためのデバイスであって、
該デバイスは、
第１の構成と第２の構成との間で移動可能である可撓性凹状部材と、
アクチュエータであって、該アクチュエータは、作動させられると、該第１の構成と該第２の構成との間で該可撓性凹状部材を移動させることが可能である、アクチュエータと、
該可撓性凹状部材に機械的に連結される針であって、該連結されることにより、該針は、該可撓性凹状部材が該第１の構成にあるときに第１の位置にあり、該可撓性凹状部材が該第２の構成にあるときに第２の位置にある、針と、
少なくとも該針が該第２の位置にあるときに該針を含有するアプリケータ領域と、
該アクチュエータに機械的に連結される穿刺部材と、
大気圧を下回る圧力を有する真空チャンバと、
該真空チャンバと流体連通する穿刺可能表面と、
を備え、該穿刺部材は、該アクチュエータによって移動させられると、該穿刺可能表面を穿刺するように設置される、デバイス。
（項目１１８）
前記針は、前記可撓性凹状部材上に直接固定化される、項目１１７に記載のデバイス。
（項目１１９）
前記針は、前記可撓性凹状部材に機械的に連結された針のアレイのうちの１本の針である、項目１１７または１１８のうちのいずれか一項に記載のデバイス。
（項目１２０）
前記針は、極微針である、項目１１７−１１９のうちのいずれか一項に記載のデバイス。
（項目１２１）
前記針は、前記被検体の皮膚の中へ約１ｍｍ以下の最大貫通を有する、項目１１７−１２０のうちのいずれか一項に記載のデバイス。
（項目１２２）
後退機構をさらに備え、該後退機構は、前記可撓性凹状部材が前記第２の構成に到達した後に、前記針を前記第１の構成に向かって移動させることが可能である、項目１１７−１２１のうちのいずれか一項に記載のデバイス。
（項目１２３）
前記第１の構成は、凹状構成であり、前記第２の構成は、凸状構成である、項目１１７−１２２のうちのいずれか一項に記載のデバイス。
（項目１２４）
前記可撓性凹状部材は、前記第２の構成から前記第１の構成まで自発的に復帰することが可能である、項目１１７−１２３のうちのいずれか一項に記載のデバイス。
（項目１２５）
前記デバイスのユーザは、前記可撓性凹状部材を前記第１の構成から前記第２の構成まで手動で移動させることができる、項目１１７−１２４のうちのいずれか一項に記載のデバイス。
（項目１２６）
アクチュエータをさらに備え、該アクチュエータは、前記可撓性凹状部材を前記第１の構成から前記第２の構成まで移動させることが可能である、項目１１７−１２５のうちのいずれか一項に記載のデバイス。
（項目１２７）
前記真空チャンバは、抗凝固剤を含有する、項目１１７−１２６のうちのいずれか一項に記載のデバイス。
（項目１２８）
前記真空チャンバは、前記被検体からの血液または他の流体の導入に先立って、大気圧を下回る約１００ｍｍＨｇより小さい圧力を有する、項目１１７−１２７のうちのいずれか一項に記載のデバイス。
（項目１２９）
前記真空チャンバは、事前充填された真空である、項目１１７−１２８のうちのいずれか一項に記載のデバイス。
（項目１３０）
前記針は、少なくとも約６ｍ／ｓの速度で、前記第１の位置から前記第２の位置まで移動させられる、項目１１７−１２９のうちのいずれか一項に記載のデバイス。
（項目１３１）
前記針は、少なくとも１００，０００ｍ／ｓ２の率で、前記第１の位置から前記第２の位置までにおいて加速される、項目１１７−１３０のうちのいずれか一項に記載のデバイス。
（項目１３２）
前記針は、約０．００２秒未満の時間の中で、前記第１の位置から前記第２の位置まで移動させられる、項目１１７−１３１のうちのいずれか一項に記載のデバイス。
（項目１３３）
前記第１の位置と前記第２の位置とは、約１０ｍｍ未満の距離だけ分離されている、項目１１７−１３２のうちのいずれか一項に記載のデバイス。
（項目１３４）
前記デバイスは、手動で相互から分離可能な少なくとも２つのモジュールを含有し、該少なくとも２つのモジュールは、前記真空チャンバを備える第１のモジュールと、前記可撓性凹状部材、前記針、および前記アプリケータ領域を備える第２のモジュールとを含む、項目１１７−１３３のうちのいずれか一項に記載のデバイス。
（項目１３５）
前記被検体から受容される流体は、血液である、項目１１７−１３４のうちのいずれか一項に記載のデバイス。
（項目１３６）
前記被検体は、ヒトである、項目１１７−１３５のうちのいずれか一項に記載のデバイス。
（項目１３７）
前記デバイスは、内蔵式である、項目１１７−１３６のうちのいずれか一項に記載のデバイス。
（項目１３８）
前記穿刺可能表面は、気密性である、項目１１７−１３７のうちのいずれか一項に記載のデバイス。
（項目１３９）
前記穿刺可能表面は、箔である、項目１１７−１３８のうちのいずれか一項に記載のデバイス。
（項目１４０）
流体を抽出することを備え、該流体は、項目１１７−１３９のうちのいずれか一項に記載のデバイス内に含有される、方法。
（項目１４１）
前記流体は、血液である、項目１４０に記載の方法。
（項目１４２）
被検体から血液または他の流体を受容するためのデバイスであって、
該デバイスは、
第１の構成と第２の構成との間で移動可能である可撓性凹状部材と、
該可撓性凹状部材に機械的に連結される針であって、該連結されることにより、該針は、該可撓性凹状部材が該第１の構成にあるときに第１の位置にあり、該可撓性凹状部材が該第２の構成にあるときに第２の位置にある、針と、
少なくとも該針が該第２の位置にあるときに該針を含有するアプリケータ領域と、
真空チャンバと
を備え、該真空チャンバの移動は、該真空チャンバと該アプリケータ領域との間に流体連通経路を生成する、デバイス。
（項目１４３）
前記デバイスは収集チャンバをさらに備え、該収集チャンバは、前記真空チャンバと前記アプリケータ領域との間の前記流体連通経路に設置される、項目１４２に記載のデバイス。
（項目１４４）
ガス浸透性膜をさらに備え、該ガス浸透性膜は、前記真空チャンバと前記収集チャンバとの間に設置される、項目１４３に記載のデバイス。
（項目１４５）
前記ガス浸透性膜は、実質的に血液に対して不浸透性である、項目１４４に記載のデバイス。
（項目１４６）
親水性膜をさらに備え、該親水性膜は、前記真空チャンバと前記収集チャンバとの間に設置される、項目１４３−１４５のうちのいずれか一項に記載のデバイス。
（項目１４７）
前記収集チャンバは、抗凝固剤を含有する、項目１４３−１４６のうちのいずれか一項に記載のデバイス。
（項目１４８）
前記針は、前記可撓性凹状部材上に直接固定化される、項目１４２−１４７のうちのいずれか一項に記載のデバイス。
（項目１４９）
前記針は、前記可撓性凹状部材に機械的に連結された針のアレイのうちの１本の針である、項目１４２−１４８のうちのいずれか一項に記載のデバイス。
（項目１５０）
前記針は、極微針である、項目１４２−１４９のうちのいずれか一項に記載のデバイス。
（項目１５１）
前記針は、前記被検体の皮膚の中への約１ｍｍの最大貫通を有する、項目１４２−１５０のうちのいずれか一項に記載のデバイス。
（項目１５２）
後退機構をさらに備え、該後退機構は、前記可撓性凹状部材が前記第２の構成に到達した後に、前記針を前記第１の構成に向かって移動させることが可能である、項目１４２−１５１のうちのいずれか一項に記載のデバイス。
（項目１５３）
前記第１の構成は、凹状構成であり、前記第２の構成は、凸状構成である、項目１４２−１５２のうちのいずれか一項に記載のデバイス。
（項目１５４）
前記可撓性凹状部材は、前記第２の構成から前記第１の構成まで自発的に復帰することが可能である、項目１４２−１５３のうちのいずれか一項に記載のデバイス。
（項目１５５）
前記デバイスのユーザは、前記可撓性凹状部材を前記第１の構成から前記第２の構成まで手動で移動させることができる、項目１４２−１５４のうちのいずれか一項に記載のデバイス。
（項目１５６）
アクチュエータをさらに備え、該アクチュエータは、前記可撓性凹状部材を前記第１の構成から前記第２の構成まで移動させることが可能である、項目１４２−１５５のうちのいずれか一項に記載のデバイス。
（項目１５７）
前記真空チャンバは、抗凝固剤を含有する、項目１４２−１５６のうちのいずれか一項に記載のデバイス。
（項目１５８）
前記真空チャンバは、前記被検体からの血液または他の流体の導入に先立って、大気圧を下回る約１００ｍｍＨｇより小さい圧力を有する、項目１４２−１５７のうちのいずれか一項に記載のデバイス。
（項目１５９）
前記真空チャンバは、事前充填された真空である、項目１４２および−１５８のうちのいずれか一項に記載のデバイス。
（項目１６０）
前記針は、少なくとも約６ｍ／ｓの速度で、前記第１の位置から前記第２の位置まで移動させられる、項目１４２−１５９のうちのいずれか一項に記載のデバイス。
（項目１６１）
前記針は、少なくとも１００，０００ｍ／ｓ２の率で、前記第１の位置から前記第２の位置までにおいて加速される、項目１４２−１６０のうちのいずれか一項に記載のデバイス。
（項目１６２）
前記針は、約０．００２秒未満の時間の中で、前記第１の位置から前記第２の位置まで移動させられる、項目１４２−１６１のうちのいずれか一項に記載のデバイス。
（項目１６３）
前記第１の位置と前記第２の位置とは、約１０ｍｍ未満の距離だけ分離されている、項目１４２−１６２のうちのいずれか一項に記載のデバイス。
（項目１６４）
前記デバイスは、手動で相互から分離可能な少なくとも２つのモジュールを含有し、該少なくとも２つのモジュールは、前記真空チャンバを備える第１のモジュールと、前記可撓性凹状部材、前記針、および前記アプリケータ領域を備える第２のモジュールとを含む、項目１４２−１６３のうちのいずれか一項に記載のデバイス。
（項目１６５）
前記被検体から受容される流体は、血液である、項目１４２−１６４のうちのいずれか一項に記載のデバイス。
（項目１６６）
前記被検体は、ヒトである、項目１４２−１６５のうちのいずれか一項に記載のデバイス。
（項目１６７）
前記デバイスは、内蔵式である、項目１４２−１６６のうちのいずれか一項に記載のデバイス。
（項目１６８）
流体を抽出することを備え、該流体は、項目１４２−１６７のうちのいずれか一項に記載のデバイス内に含有される、方法。
（項目１６９）
前記流体は、血液である、項目１６８に記載の方法。
（項目１７０）
被検体から血液または他の流体を受容するためのデバイスであって、
該デバイスは、
第１の構成と第２の構成との間で移動可能である可撓性凹状部材と、
該可撓性凹状部材に機械的に連結される針であって、該連結されることにより、該針は、該可撓性凹状部材が該第１の構成にあるときに第１の位置にあり、該可撓性凹状部材が該第２の構成にあるときに第２の位置にある、針と、
少なくとも該針が該第２の位置にあるときに該針を含有するアプリケータ領域と、
真空チャンバと
を備え、該真空チャンバの移動は、該第１の構成から該第２の構成までの該可撓性凹状部材の移動を生じさせる、デバイス。
（項目１７１）
前記針は、前記可撓性凹状部材上に直接固定化される、項目１７０に記載のデバイス。
（項目１７２）
前記針は、前記可撓性凹状部材に機械的に連結された針のアレイのうちの１本の針である、項目１７０または１７１のうちのいずれか一項に記載のデバイス。
（項目１７３）
前記針は、極微針である、項目１７０−１７２のうちのいずれか一項に記載のデバイス。
（項目１７４）
前記針は、前記被検体の皮膚の中への約１ｍｍ以下の最大貫通を有する、項目１７０−１７３のうちのいずれか一項に記載のデバイス。
（項目１７５）
後退機構をさらに備え、該後退機構は、前記可撓性凹状部材が前記第２の構成に到達した後に、前記針を前記第１の構成に向かって移動させることが可能である、項目１７０−１７４のうちのいずれか一項に記載のデバイス。
（項目１７６）
前記第１の構成は、凹状構成であり、前記第２の構成は、凸状構成である、項目１７０−１７５のうちのいずれか一項に記載のデバイス。
（項目１７７）
前記可撓性凹状部材は、前記第２の構成から前記第１の構成まで自発的に復帰することが可能である、項目１７０−１７６のうちのいずれか一項に記載のデバイス。
（項目１７８）
前記デバイスのユーザは、前記可撓性凹状部材を前記第１の構成から前記第２の構成まで手動で移動させることができる、項目１７０−１７７のうちのいずれか一項に記載のデバイス。
（項目１７９）
アクチュエータをさらに備え、該アクチュエータは、前記可撓性凹状部材を前記第１の構成から前記第２の構成まで移動させることが可能である、項目１７０−１７８のうちのいずれか一項に記載のデバイス。
（項目１８０）
前記真空チャンバは、抗凝固剤を含有する、項目１７０−１７９のうちのいずれか一項に記載のデバイス。
（項目１８１）
前記真空チャンバは、前記被検体からの血液または他の流体の導入に先立って、大気圧を下回る約１００ｍｍＨｇよりも小さい圧力を有する、項目１７０−１８０のうちのいずれか一項に記載のデバイス。
（項目１８２）
前記真空チャンバは、事前充填された真空である、項目１７０−１８１のうちのいずれか一項に記載のデバイス。
（項目１８３）
前記針は、少なくとも約６ｍ／ｓの速度で、前記第１の位置から前記第２の位置まで移動させられる、項目１７０−１８２のうちのいずれか一項に記載のデバイス。
（項目１８４）
前記針は、少なくとも１００，０００ｍ／ｓ２の率で、前記第１の位置から前記第２の位置までにおいて加速される、項目１７０−１８３のうちのいずれか一項に記載のデバイス。
（項目１８５）
前記針は、約０．００２秒未満の時間の中で、前記第１の位置から前記第２の位置まで移動させられる、項目１７０−１８４のうちのいずれか一項に記載のデバイス。
（項目１８６）
前記第１の位置と前記第２の位置とは、約１０ｍｍ未満の距離だけ分離されている、項目１７０−１８５のうちのいずれか一項に記載のデバイス。
（項目１８７）
前記デバイスは、手動で相互から分離可能な少なくとも２つのモジュールを含有し、該少なくとも２つのモジュールは、前記真空チャンバを備える第１のモジュールと、前記可撓性凹状部材、前記針、および前記アプリケータ領域を備える第２のモジュールとを含む、項目１７０−１８６のうちのいずれか一項に記載のデバイス。
（項目１８８）
前記被検体から受容される流体は、血液である、項目１７０−１８７のうちのいずれか一項に記載のデバイス。
（項目１８９）
前記被検体は、ヒトである、項目１７０−１８８のうちのいずれか一項に記載のデバイス。
（項目１９０）
前記デバイスは、内蔵式である、項目１７０−１８９のうちのいずれか一項に記載のデバイス。
（項目１９１）
流体を抽出することを備え、該流体は、項目１７０−１９０のうちのいずれか一項に記載のデバイス内に含有される、方法。
（項目１９２）
前記流体は、血液である、項目１９１に記載の方法。